(57)【要約】【課題】予め切り揃えられた短尺な毛髪糸を用いて、植毛ネットに毛髪糸を結び付ける植毛装置を提供する。【解決手段】第１鉤針２０がエキセン１０に展開された植毛ネット２００の横糸２０２−１を引っ掛けた状態で、第１鉤針２０と横糸２０２−１を移動することなく、エキセン１０が横糸２０２−１を中心として第１鉤針２０よりも下方となるように旋回するか、又は、第１鉤針２０が横糸２０２−１を引っ掛けたまま、エキセン１０がネット掛部１１の中心線を中心として回転しつつかつ第１鉤針２０が補足した横糸２０２−１の動きに沿って移動し、エキセン１０よりも前方に第１鉤針２０が移動できるようになる。そして、第２鉤針でストッカー４０から引き出した予め切り揃えられた短尺な毛髪糸１００が第１鉤針２０で補足されて植毛ネット２００に結び付けられる。【選択図】図１
2020125572.tif 000002
【特許請求の範囲】
【請求項１】
予め切り揃えられた複数本の毛髪糸を上に列状に寝かして収容するストッカーと、このストッカーから前記毛髪糸を捕捉する鉤針とを備えた植毛装置であって、前記鉤針が前記ストッカーの下から当該ストッカーに向けて上昇し、この鉤針の先端に設けられたフックが前記ストッカーに設けられた糸取孔を経由して前記ストッカーの上における前記毛髪糸の列の中に入った後に下降するのに伴い前記毛髪糸の左右方向の中央部を引っ掛けてその毛髪糸を２つ折りに保持することを特徴とする植毛装置。
【請求項２】
ストッカーに毛髪糸を上から押え付ける錘を備えたことを特徴とする請求項１記載の植毛装置。
【請求項３】
前記錘がシリンダーのピストンロッドに設けられたことを特徴とする請求項２記載の植毛装置。
【発明の詳細な説明】
【技術分野】
【０００１】
本発明は、植毛ネットに毛髪糸を結び付ける植毛装置に関する。
【背景技術】
【０００２】
特許文献１で開示された植毛装置は、ボビンに巻かれた長尺な毛髪糸を植毛ネットに結び付ける構造になっている。このため、ボビンに長尺な毛髪糸を巻き付ける工程と、植毛ネットに毛髪糸を植毛した後に切断する工程とが必要になる。
【先行技術文献】
【特許文献】
【０００３】
【特許文献１】特開２０１８−４００８４号公報
【発明の概要】
【発明が解決しようとする課題】
【０００４】
本発明は、上記背景技術に鑑みてなされたものであり、予め切り揃えられた短尺な毛髪糸を用いて、植毛ネットに毛髪糸を結び付ける植毛装置の提供を目的とする。
【課題を解決するための手段】
【０００５】
本発明は、予め切り揃えられた複数本の毛髪糸を上に列状に寝かして収容するストッカーと、このストッカーから毛髪糸を捕捉する鉤針とを備えた植毛装置であって、鉤針がストッカーの下から当該ストッカーに向けて上昇し、この鉤針の先端に設けられたフックがストッカーに設けられた糸取孔を経由してストッカーの上における毛髪糸の列の中に入った後に下降するのに伴い毛髪糸の左右方向の中央部を引っ掛けてその毛髪糸を２つ折りに保持することを特徴とする。
【発明の効果】
【０００６】
本発明は、予め切り揃えられた複数本の毛髪糸を上に列状に寝かして収容するストッカーと、このストッカーから毛髪糸を捕捉する鉤針とを備えた植毛装置であって、鉤針がストッカーの下から当該ストッカーに向けて上昇し、この鉤針の先端に設けられたフックがストッカーに設けられた糸取孔を経由してストッカーの上における毛髪糸の列の中に入った後に下降するのに伴い毛髪糸の左右方向の中央部を引っ掛けてその毛髪糸を２つ折りに保持することにより、前進及び後退動作を行う第１鉤針が毛髪糸を捕捉することができる。
【図面の簡単な説明】
【０００７】
【図１】発明を実施するための形態に係る植毛装置の構造を模式図として示し、Ａ図はＢ図に示した矢印Ａ方向から見た側面図、Ｂ図はＡ図に示した矢印Ｂ方向から見た正面図。
【図２】発明を実施するための形態に係る植毛装置の第１動作から第４動作を示し、Ａ図はＢ図に示した矢印Ａ方向から見た側面図、Ｂ図はＡ図に示した矢印Ｂ方向から見た正面図。
【図３】発明を実施するための形態に係る植毛装置の第５動作を示した図２のＡ図に相当する側面図。
【図４】発明を実施するための形態に係る植毛装置の第６動作及び第７動作を示した図２のＡ図に相当する側面図。
【図５】発明を実施するための形態に係る植毛装置の第８動作及び第９動作を示した図２のＡ図に相当する側面図。Ｂ図はＡ−Ａ断面図。
【図６】発明を実施するための形態に係る植毛装置の第１０動作を示した図２のＡ図に相当する側面図。
【図７】発明を実施するための形態に係る植毛装置の第１１動作を示した図２のＡ図に相当する側面図。
【図８】発明を実施するための形態に係る植毛装置の第１２動作及び第１３動作を示した図２のＡ図に相当する側面図。
【図９】発明を実施するための形態に係る植毛装置の第１４動作を示した図２のＡ図に相当する側面図。
【図１０】発明を実施するための形態に係る植毛装置の第１５動作を示した図２のＡ図に相当する側面図。
【図１１】発明を実施するための形態に係る植毛装置の第１６動作から第１８動作を示した図２のＡ図に相当する側面図。
【図１２】発明を実施するための形態に係る植毛装置により、植毛糸が３回撚り合わせられて植毛ネットに結び付けられた状態を示し、Ａ図は図２の第２鉤針の側から見た正面図、Ｂ図は図２の第１鉤針の側から見た背面図。
【発明を実施するための形態】
【０００８】
図１に示した発明を実施するための形態に係る植毛装置は、エキセン１０、第１鉤針２０、第２鉤針３０、ストッカー４０、糸位置出しバー５０、糸落としバー６０、糸引込バー７０、反転ローラー８０、図６に図示した磁石９０、図示のされていない駆動機構、制御装置９５を備え、当該制御装置９５による前記駆動機構の制御に伴いエキセン１０と第１鉤針２０と第２鉤針３０と糸落としバー６０並びに糸引込バー７０のそれぞれが図２から図１１までに示した第１動作から第１８動作までを行い、毛髪糸１００をストッカー４０から１本ずつ捕捉して植毛ネット２００の横糸２０２に結び付けて植毛するようになっている。植毛ネット２００は、複数本の原糸を撚りあわせて一本の糸にしたものを使用して作成された場合と、複数本の原糸を撚りあわせることなく一本の原糸の糸を使用して作成された場合との両方を含む。
【０００９】
植毛装置が動作を行う際の初期位置の状態について説明すると、図１のＡ図に示したように、予め切り揃えられた短尺な複数本の毛髪糸１００がエキセン１０よりも上方に配置されたストッカー４０の上にエキセン１０の中心線の延びる方向に交差する方向に長い列状に寝かされて収容され、又、複数本の縦糸２０１と複数本の横糸２０２とからなる網目状に形成された植毛ネット２００が反転ローラー８０及びエキセン１０に展開され、又、第１鉤針２０がエキセン１０よりも左側に停止し、第２鉤針３０がエキセン１０よりも右側の下方に停止し、糸位置出しバー５０がストッカー４０の底部４１の左右方向の中央部に設けられた糸取孔４２よりも下方で左側に配置され、糸落としバー６０及び糸引込バー７０が糸位置出しバー５０とエキセン１０との間で糸位置出しバー５０よりも左側に停止している。
【００１０】
尚、短尺な毛髪糸１００の長さは、完成するウィッグの毛の長さの約２倍の長さに切り揃えられており、ストッカー４０の底部４１の左右方向よりも長くても短くても適用可能であるが、長い場合に毛髪糸１００におけるストッカー４０の底部４１よりも外側に突出する部分がストッカー４０の底部４１より下方に垂直に垂下がない範囲であれば、第２鉤針３０がストッカー４０から毛髪糸１００を捕捉して下方に引き出す際に、毛髪糸１００におけるストッカー４０の底部４１よりも外側に突出する部分がストッカー４０の底部４１の左右方向の端部で擦れて傷むことを防止することができ、好適である。
【００１１】
ストッカー４０は、図１のＢ図に示したように、平板状の底部４１の左右方向の両端部から上方に突出した左右の側壁４３を備え、左右の側壁４３の上部が開放された樋状になっている。ストッカー４０は単数でも適用可能であるが、複数個のストッカー４０が左右方向に並べられ、異なる色の毛髪糸１００、色が同じであって太さの異なる毛髪糸１００、同じ色や同じ太さであっても硬さ（弾力）の異なる毛髪糸１００等、種類の異なる毛髪糸１００が混合された後にストッカー４０ごとに個別に供給され、完成するウィッグにおける毛髪糸１００の色や太さ或いは髪質を予め調整できるようになった場合を例示した。
【００１２】
尚、ストッカー４０は位置を移動する必要がないでの図示のされていない装置本体に固定した状態に設けられている。図示のされていない板状の錘がストッカー４０に供給された毛髪糸１００の上に乗せられて毛髪糸１００を押え付け、毛髪糸１００が第２鉤針３０で引き抜けるようになっている。前記錘は前記装置本体と錘との双方に連結された駆動機構としてのエアシリンダーのピストンロッドの伸縮により毛髪糸１００を上から押え付けても良い。エアシリンダーのピストンロッドの伸縮は前記制御装置９５で制御されても良い。
【００１３】
そして、第２鉤針３０が毛髪糸１００を何本か引き抜くと、第２鉤針３０の先端のフック３１が毛髪糸１００を引っ掛けなくなるので、上記何本か毛髪糸１００が引き抜かれた時点ごとに前記錘から毛髪糸１００に供給される圧を緩め、ストッカー４０を叩き、毛髪糸１００を整列し直せば良い。圧を緩めて整列するまでの時間間隔は毛髪糸１００の種類により変わる。上記ストッカー４０を叩く場合、人為的に行うことも考えられるが、前記制御装置９５で制御される駆動機構で行うようにしても良い。
【００１４】
エキセン１０は、植毛ネット２００の植毛領域を確保する部材であり、左右に延びる中心線を有する円柱状のネット掛部１１と、ネット掛部１１の外面から内部に窪むようにネット掛部１１に設けられた逃げ部１２と、ネット掛部１１の両端部に設けられた軸部１３とを有し、軸部１３の左右方向に延びる中心線がネット掛部１１の左右方向に延びる中心線から半径方向の外側に偏位しかつ逃げ部１２におけるネット掛部１１の外面の側の開口の周方向の中心部に位置する。
【００１５】
そして、軸部１３が図示のされていない装置本体に設けられた図示のされていない軸受部に回転可能に支持され、逃げ部１２の開口が図１のＡ図に示したように左側に向けられた状態になるように、エキセン１０が停止している。又、軸部１３の左右方向に延びる中心線が逃げ部１２の開口の周方向の中心に位置する一本の横糸２０２−１に重なっている。
【００１６】
逃げ部１２におけるネット掛部１１の周方向に対応する開口幅は、植毛ネット２００がネット掛部１１の外面に巻き掛けられ、一本の横糸２０２−１が逃げ部１２の開口幅の周方向の中心に位置した場合において、上記中心に位置する一本の横糸２０２−１の周方向に隣接する２本の横糸２０２−２及び２０２−３のうちの一本の横糸２０２−２が逃げ部１２の開口の一側縁周りに位置し、上記２本の横糸２０２−２及び２０２−３のうちの別の一本の横糸２０２−３が逃げ部１２の開口の他側縁周りに位置するように、植毛ネット２００の網目を構成する横糸２０２による間隔に基づき決定されている。尚、逃げ部１２におけるネット掛部１１の周方向に対応する開口幅は、横糸２０２−２と横糸２０２−３との幅以上であってもよい。
【００１７】
第１鉤針２０は、植毛ネット２００に毛髪糸１００を植毛する部材であり、先端のフック２１と、フック２１の針口を開閉するラッチ２２とを備える。ラッチ２２の一端部が第１鉤針２０に図示のされていない軸で回転可能に連結され、ラッチ２２の他端部の側が上記軸を中心として回転することで上記針口を開閉するようになっている。初期状態では、図１のＡ図に示したように、第１鉤針２０がエキセン１０から左側に離れて逃げ部１２の開口と対向する位置に停止し、ラッチ２２が上記針口を閉じている。
【００１８】
第１鉤針２０は前記制御装置９５で制御される駆動機構で動作して毛髪糸１００を植毛するようになっている。又、第１鉤針２０は、図１のＢ図に示した複数本の第２鉤針３０と同じに、左右に並んだ複数本になっている。複数本の第１鉤針２０の一群は、前記制御装置で制御される駆動機構で一緒に動作して毛髪糸１００を植毛ネット２００に植毛するようになっている。第１鉤針２０と第２鉤針３０とが１対１に対応付けられている。第１鉤針２０及び第２鉤針３０は複数本に限定されるものではなく単数本でも良い。
【００１９】
第２鉤針３０は、ストッカー４０から毛髪糸１００を捕捉する部材であり、先端に１本の毛髪糸１００を捕捉可能なフック３１が設けられる。初期状態では、図１のＡ図に示したように、第２鉤針３０がエキセン１０から右側に離れてエキセン１０と反転ローラー８０との間の位置に停止し、フック３１の針口３２が図１のＡ図における紙面の表側に向いている。又、第２鉤針３０は、図１のＢ図に示したように、左右に並んだ複数本になっている。複数本の第２鉤針３０の一群は、前記制御装置９５で制御される駆動機構で一緒に動作して毛髪糸１００を捕捉するようになっている。尚、フック３１が１本の毛髪糸１００を捕捉する場合を例示するが、フック３１が２本又は３本以上の複数本の毛髪糸１００を捕捉するようにしてもよい。
【００２０】
糸位置出しバー５０は、第２鉤針３０でストッカー４０から引き出される毛髪糸１００を所定位置に誘導する部材であり、図１のＢ図に示したように、左右に延びる中心線を有する円柱状の外周面から中心線の側に窪む複数の糸ガイド５１が円柱状の外周面を一周するように設けられている。又、糸位置出しバー５０の左右方向の両端部が前記装置本体に固定して設けられても良いが回転可能に設けられることにより、糸位置出しバー５０が第２鉤針３０でストッカー４０から引き出される毛髪糸１００で回転され、毛髪糸１００における第２鉤針３０で引き出される部分が糸ガイド５１で擦れて傷むことを防止することができ、好適である。糸ガイド５１の個数は、第２鉤針３０の個数と同数になっている。
【００２１】
糸落としバー６０は、植毛ネット２００に植毛された毛髪糸１００が糸引込バー７０で引き込まれる工程において前記制御装置９５で制御される駆動機構で上下に振動し、糸引込バー７０で引き込まれる毛髪糸１００の端部を払い落として下方に毛髪糸１００を整髪させるようになっている。
【００２２】
糸引込バー７０は、前記制御装置９５で制御される駆動機構で前後に移動し、植毛ネット２００に植毛された毛髪糸１００を引き込むようになっている。磁石９０は、第１鉤針２０で毛髪糸１００を植毛ネット２００に植毛する前工程として、第１鉤針２０が第２鉤針３０とストッカー４０とで２つ折りになった毛髪糸１００の間に入って後退するときに第１鉤針２０のラッチ２２が毛髪糸１００に触れて閉じられることから、この閉じられたラッチ２２を磁力で吸引して開くように、前記装置本体に取り付けられており、永久磁石又は電磁石のどちらでも適用可能であるが、電磁石であれば、電磁石を前記制御装置９５で制御し閉じられたラッチ２２を開くときだけ磁力を発生することができる。反転ローラー８０は、前記装置本体に取り付けられている。
【００２３】
図２乃至１１を用いて植毛装置の動作を説明する。図２に示したよう、第１動作としての糸引込バー前進動作により、糸引込バー７０の前部が前進しＢ図におけるストッカー４０の糸取孔４２及び第２鉤針３０を右側に超えた位置に停止する。次に、第２動作としての第２鉤針上昇動作により、第２鉤針３０が上昇し、フック３１が糸取孔４２を経由してストッカー４０の内部における複数本の毛髪糸１００の列の中に入った後に下降して初期位置に停止する。この第２鉤針上昇動作でフック３１が１本の毛髪糸１００の左右方向の中央部を引っ掛けながら下降して停止することで、上記１本の毛髪糸１００がストッカー４０と第２鉤針３０との間で２つ折りされた状態となる。図２のＢ図に示したように、複数本の第２鉤針３０で２つ折りされた毛髪糸１００が１本ずつ糸位置出しバー５０の複数の糸ガイド５１のそれぞれに収容されるので、第２鉤針３０とストッカー４０とに展開された各毛髪糸１００の位置が所定位置に確保され、第１鉤針２０が各毛髪糸１００を適切に捕捉することができる。
【００２４】
又、第３動作としての第１鉤針前進動作により、第１鉤針２０のフック２１が横糸２０２−１の下を通るのに伴い、ラッチ２２が横糸２０２−１に干渉して開き、フック２１の針口が横糸２０２−１を左側から右側に超えて逃げ部１２に収容されて仮想線で示す位置に到達する。その後、第４動作としての第１鉤針後退動作により、第１鉤針２０が仮想線で示した位置から実線で示した位置に後退し、フック２１が横糸２０２−１を引っ掛ける。
【００２５】
図３に示したように、第５動作としてエキセン１／４回転動作により、エキセン１０の軸部１３が図示のされていない駆動機構で一方向に回転されるのに伴い、ネット掛部１１が軸部１３の中心線を中心として仮想線で示した位置から実線で示した位置へと下方に旋回し、逃げ部１２の開口が上方に向けられた状態となり、前記軸部１３の一方向への回転が停止する。これにより、第１鉤針２０と横糸２０２−１を移動することなく、エキセン１０が第１鉤針２０及び横糸２０２−１の下側に移動する。前記「第１鉤針２０と横糸２０２−１を移動することなく、」とは、エキセン１０が下側に移動する際に、植毛ネット２００の弾力により、第１鉤針２０の先端部分が震えるように動く場合も含む。このエキセン１０の仮想線で示した位置から実線で示した位置への移動により、第１鉤針２０がエキセン１０の上方を通りストッカー４０と第２鉤針３０との間で２つ折りになった毛髪糸１００の間の側に移動することが可能になる。エキセン１０を仮想線で示した位置から実線で示した位置へと下方に旋回させて第１鉤針２０よりも下に位置するように移動させることで、横糸２０２−１が過負荷を受けず切れることも無く、第１鉤針２０が過負荷を受けずに破損することも無い。
【００２６】
尚、エキセン１０を仮想線で示した位置から実線で示した位置へと下方に旋回させることなく、第１鉤針２０が横糸２０２−１を引っ掛けたまま、エキセン１０が制御装置９５の制御により図示しない駆動機構でネット掛部１１の中心線を中心として回転されつつかつ第１鉤針２０が補足した横糸２０２−１の動きに沿って移動させられることでも適用可能である。その際、第１鉤針２０は、移動前の平行状態を保ったまま移動させられる。このようにエキセン１０と第１鉤針２０の動きにより、横糸２０２−１が第１鉤針２０に引っ掛けられた状態でエキセン１０の最も上側に位置する状態となる。
【００２７】
図４に示したように、第６動作としての第１鉤針前進動作により、第１鉤針２０が前進するのに伴い横糸２０２−１がフック２１から抜けて開いたラッチ２２で持ち上げられ第１鉤針２０のラッチ２２よりも後部の上に落下し、フック２１がストッカー４０と第２鉤針３０との間で２つ折りになった毛髪糸１００の側に近づく。そして、第７動作としての第１鉤針横向き動作により、フック２１の針口が上を向いた状態から横向きになるように第１鉤針２０が回転する。この第１鉤針２０の回転に伴い、フック２１の針口が毛髪糸１００の第２鉤針３０から糸取孔４２の左側に接触する側につまり図４の紙面の裏側に向けられた状態になる。
【００２８】
図５に示したように、第８動作としての第１鉤針前進動作により、第１鉤針２０がフック２１の針口を横向きのまま更に前進するのに伴い、フック２１が毛髪糸１００の第２鉤針３０から糸取孔４２の左側に接触する部分と第２鉤針３０から糸取孔４２の左側に接触する部分との間に入り、フック２１の針口が毛髪糸１００の第２鉤針３０から糸取孔４２の左側に接触する部分に向き合うまで第１鉤針２０が前進して止まる。その後、第９動作としての第２鉤針横移動動作により、第２鉤針３０が図５の紙面の裏側から表面の側に横移動するのに伴い、Ｂ図に示したように、毛髪糸１００の第２鉤針３０から糸取孔４２の左側に接触する部分が第１鉤針２０の針口に導入される。これにより、第１鉤針２０が毛髪糸１００の第２鉤針３０から糸取孔４２の左側に接触する部分を捕捉する。フック２１の針口がＢ図の上側に向けられた状態であり、フック３１の針口３２がＢ図の下側に向いている状態であることから、毛髪糸１００の導入の際に第２鉤針３０から毛髪糸１００が外れることがない。
【００２９】
図６に示したように、第１０動作としての第１鉤針後退動作により、フック２１の針口が横を向いた状態から上向きになるように第１鉤針２０が回転し、横糸２０２−１にラッチ２２が接触して針口が閉じられる。第１鉤針２０が初期位置の側に後退し実線で示したように植毛ネット２００から離れるに伴い毛髪糸１００の第２鉤針３０から糸取孔４２の左側に接触する部分をストッカー４０から引き出す。この毛髪糸１００の引き出された部分は、糸取孔４２の左側から糸位置出しバー５０を経由し横糸２０２−１と横糸２０２−２との間を通りフック２１で折り返され、そして、フック２１から横糸２０２−１と横糸２０２−２との間を通り、更に、横糸２０２−１と横糸２０２−３との間を通り第２鉤針３０に至るように展開される。第１鉤針２０が実線で示した位置から仮想線で示した位置へと後退するのに伴い、ラッチ２２が磁石９０の磁力で吸引され第１鉤針２０の針口を開く。
【００３０】
図７に示したように、第１１動作としての第１鉤針上昇動作により、第１鉤針２０が図６の仮想線で示した位置から前進しかつ上昇するのに伴い毛髪糸１００のフック２１と横糸２０２−１との間の部分が横糸２０２−１を中心としたＶ字形を呈する。尚、第１鉤針上昇動作は無くてもよいが、第１鉤針上昇動作を行うことにより、後述する第１２動作の際に、フック２１が毛髪糸１００の糸位置出しバー５０と横糸２０２−１との間の部分を確実に通るようになる。その後、第１鉤針２０が毛髪糸１００を横糸２０２−１に結ぶために回転する。第１鉤針２０の回転数は、１回転、２回転又は３回転以上でも良い。第１鉤針２０が回転することにより、毛髪糸１００のフック２１と横糸２０２−１との間の２本の部分が互いに絡むように撚り合わせられてループ部４５が設けられ、フック２１の針口が上を向いた状態で停止する。
【００３１】
図８に示したように、第１２動作としての第１鉤針前進及び横向き動作により、第１鉤針２０が上向きのまま紙面の表側に移動した後に前進し、フック２１が毛髪糸１００の糸位置出しバー５０と横糸２０２−１との間の部分を通り、フック２１の針口が毛髪糸１００の第２鉤針３０から糸取孔４２の右側に接触する部分まで第１鉤針２０が前進して止まる。この際、ループ部４５は、第１鉤針２０のラッチ２２よりも後部の上に落下した状態となる。その後、フック２１の針口が上を向いた状態から横向きになるように第１鉤針２０が回転する。この第１鉤針２０の回転に伴い、フック２１の針口が毛髪糸１００の第２鉤針３０から糸取孔４２の右側に接触する側につまり図８の紙面の裏側に向けられた状態になる。第１３動作として第２鉤針３０が図８の紙面の裏側から表面の側に横移動しフック２１の針口に毛髪糸１００の第２鉤針３０から糸取孔４２の右側に接触する部分を導入する。又は、第１鉤針２０が図８の紙面の表側から裏面の側に横移動しフック２１の針口に毛髪糸１００の第２鉤針３０から糸取孔４２の右側に接触する部分を導入するようにしてもよい。これにより、第１鉤針２０が毛髪糸１００の第２鉤針３０から糸取孔４２の右側に接触する部分を捕捉し、毛髪糸１００が第１鉤針２０に導入される。尚、第２鉤針３０と第１鉤針２０の両方が、互いに近づくように動いてもよい。フック２１の針口が図８の紙面の裏側に向けられた状態であり、第２鉤針３０のフック３１の針口３２が図８の紙面の表側に向いていることから、毛髪糸１００の導入の際に第２鉤針３０から毛髪糸１００が外れることがない。
【００３２】
図９に示したように、第１４動作としての第１鉤針後退及び回転動作により、毛髪糸１００の第２鉤針３０から糸取孔４２の右側に接触する部分を捕捉した第１鉤針２０が上向きになるように回転し、初期位置の側に後退するのに伴い、ループ部４５にラッチ２２が接触し、フック２１の針口が閉じられ、横糸２０２−１に対する毛髪糸１００の結びつまり植毛が完了する。この第１鉤針２０のフック２１が後退してループ部４５を通過する際に第２鉤針３０が上下に小刻みに動いてフック３１から毛髪糸１００を外しの毛髪糸１００のピーリングを防止する。ピーリングとは、毛髪糸１００が摩擦によって、縮れてしまう現象をいう。
【００３３】
図１０に示したように、第１５動作としての糸引込バー後退動作により、糸引込バー７０が初期位置の側に後退するのに伴い毛髪糸１００の糸位置出しバー５０の側の部分をエキセン１０の側に引き込む。そして、糸引込バー７０が初期位置に停止する。
【００３４】
図１１に示したように、第１６動作から第１８動作を行う。第１６動作として第１鉤針２０が初期位置に戻って停止する間にラッチ２２がフック２１の針口を閉じる。第１７動作としてエキセン１０が軸部１３の中心線を中心として図３に実線で示した位置から図３に示した仮想線で示した位置の側に戻るように旋回するのに伴い、逃げ部１２の開口が左側に向けられた初期位置に戻る。第１８動作として糸落としバー６０が下方に移動するに伴い横糸２０２−１に対する植毛の完了した毛髪糸１００を下方に整髪させる。そして、糸落としバー６０が上方に移動し初期位置に停止する。これにより、植毛装置における横糸２０２−１に対する毛髪糸１００を植毛する動作の１サイクルが終了し、図１２に示す、結び目が作成される。尚、図１２は、第１１動作において、第１鉤針２０が３回転し、植毛糸１００が３回撚り合わせられて植毛ネット２００に結び付けられた状態を図示している。尚、第１６動作から第１８動作のいずれから先に行っても良く、第１６動作から第１８動作を同時に行っても良い。
【００３５】
図１において、ストッカー４０の底部４１に糸取孔４２が設けられていなくても適用可能であるが、図示のように底部４１に糸取孔４２が設けられたことで、第２鉤針３０が直線的に昇降して出し入れを可能となるので、第２鉤針３０によるストッカー４０からの毛髪糸１００の捕捉する動作が簡便になる。
【００３６】
図１において、ストッカー４０は毛髪糸１００をエキセン１０の中心線の延びる方向に並べられて収容されるように平板状の底部の左右方向の両端部から上方に突出した左右の側壁を備えて上部が開放された樋状に構成された以外の態様でも適用可能であるが、図示のようにストッカー４０は毛髪糸１００をエキセン１０の中心線の延びる方向に並べられて収容されるように平板状の底部の左右方向の両端部から上方に突出した左右の側壁を備えて上部が開放された樋状に構成されたことで、ストッカー４０に毛髪糸１００を簡単に収容できる。
【００３７】
図１において、ストッカー４０より下方に第２鉤針３０とストッカー４０とに展開された毛髪糸１００を収容する糸ガイド５１を有する糸位置出しバー５０が設けられていなくても適用可能であるが、図示のようにストッカー４０より下方に第２鉤針３０とストッカー４０とに展開された毛髪糸１００を収容する糸ガイド５１を有する糸位置出しバー５０が設けられれば、第２鉤針３０とストッカー４０とに展開された毛髪糸１００の位置が所定位置に確保される。
【００３８】
図１において、エキセン１０とストッカー４０との間に植毛ネット２００に植毛された毛髪糸１００を引き込むように前後に移動する糸引込バー７０が設けられていなくても適用可能であるが、図示のようにエキセン１０とストッカー４０との間に植毛ネット２００に植毛された毛髪糸１００を引き込むように前後に移動する糸引込バー７０が設けられれば、植毛ネット２００に植毛された毛髪糸１００が第１鉤針２０の側に確実に引き込むことができる。
【００３９】
図１において、エキセン１０とストッカー４０との間に糸引込バー７０で引き込まれる毛髪糸１００を払い落として下方に整髪させる糸落としバー６０が設けられていなくても適用可能であるが、図示のようにエキセン１０とストッカー４０との間に糸引込バー７０で引き込まれる毛髪糸１００を払い落として下方に整髪させる糸落としバー６０が設けられれば、第一鉤針２０の側に毛髪糸１００を整列させることができ、植毛ネット２００に植毛された毛髪糸１００が固く結び付けられる効果がある。
【００４０】
本発明の毛髪糸１００は、人毛であってもよく、合成繊維からなる人工毛でも良い。又、人毛と人工毛が混合されたものであっても良い。
【００４１】
尚、完成予定のウィッグによっては、植毛ネット２００の横糸２０２の全てに植毛糸１００を結び付けることなく、植毛ネット２００の一部分について毛髪糸１００を結び付けない場合もある。その際、制御装置９５が第２動作としての第２鉤針上昇動作を行わない制御を行うことにより、毛髪糸１００をストッカー４０から捕捉しないことで毛髪糸１００を植毛ネット２００に結びつけないようにすることも可能である。
【符号の説明】
【００４２】
１０    エキセン
１１    ネット掛部
１２    逃げ部
１３    軸部
２０    第１鉤針
２１    フック
２２    ラッチ
３０    第２鉤針
３１    フック
４０    ストッカー
４１    底部
４２    糸取孔
４３    側壁
４５    ループ部
５０    糸位置出しバー
５１    糸ガイド
６０    糸落としバー
７０    糸引込バー
８０    反転ローラー
９０    磁石
９５    制御装置
１００  毛髪糸
２００  植毛ネット
２０１  縦糸
２０２  横糸
【図１】
2020125572.tif 000003
【図２】
2020125572.tif 000004
【図３】
2020125572.tif 000005
【図４】
2020125572.tif 000006
【図５】
2020125572.tif 000007
【図６】
2020125572.tif 000008
【図７】
2020125572.tif 000009
【図８】
2020125572.tif 000010
【図９】
2020125572.tif 000011
【図１０】
2020125572.tif 000012
【図１１】
2020125572.tif 000013
【図１２】
2020125572.tif 000014